(57)【特許請求の範囲】
【請求項１】
冷却媒体を送り、その容積流を制御するために、電気的に制御可能な装置を有し、内燃機関（１）の複数の位置において温度センサ（４，５，６）が、温度に依存する信号を発生し、これらの信号が、少なくとも１つのマイクロプロセッサを有する電子評価装置（７）において上記各装置（１１，２２，２３，２４，２８）のための操作信号になるように処置される、車両のための内燃機関（１）の温度制御を行なう方法において、
多シリンダ内燃機関（１）の、危険なシリンダ又はいくつかのシリンダの排気弁の間の範囲におけるシリンダヘッドの構成部分の温度の変化と、前記内燃機関（１）の単位時間又は動作サイクルあたりに燃焼室内に送られる燃料量の変化を検出し、
単位時間あたりの前記構成部分の温度の変化及び前記燃料量の変化を算定し、
該算定した値を用いて前記各装置を制御することを特徴とする車両のための内燃機関（１）の温度制御を行う方法。
【請求項２】
前記各装置が、少なくとも１つの電気的に駆動される水ポンプ（２２，２３）、電気的に操作されるサーモスタット（２８）、電気的に駆動されるファン（１１）及び電気的に駆動されるブラインド（２４）を含み、前記内燃機関（１）の温度の上昇又は熱発生の増加とともに、水ポンプ（２２，２３）、サーモスタット（２８）、ブラインド（２４）、最後にファン（１１）の順序で制御を開始することを特徴とする請求項１の方法。
【請求項３】
水ポンプ（２２）が主ポンプとして使われ、冷却水が、水冷却器（１３）、内燃機関（１）、オイル冷却器（１４）、排気ガス帰還冷却器（１７）及び室内ヒータ（２０）を通って送られ、水ポンプ（２２）がわずかな熱発生の際に停止したとき、補助ポンプ（２３）が、冷却水送りを保証することを特徴とする、請求項１又は２に記載の方法。
【発明の詳細な説明】
本発明は、請求の範囲第１項の上位概念の特徴による車両のための内燃機関の温度制御を行なう方法に関する。
内燃機関及び車両の温度管理は、すなわち最適な動作温度へのアセンブリー及び装置の冷却及び加熱は、とくに経済性、機能、寿命及び快適性に関して、効率にとって、したがって車両のシステムにとって決定的な意味を有する。それ故に装置及びアセンブリー、とくに車両の内燃機関は、できるだけ急速にその最適な動作温度に達し、かつできるだけ全動作中に維持することが望ましい。
ヨーロッパ特許出願公開第０４９９０７１号明細書によれば、内燃機関を有する車両のための冷却装置が公知である。冷却装置は、所属の熱交換器を有する複数の循環路を含む。種々の冷却媒体の温度が測定され、かつ中央評価装置において出力信号になるように処理され、それにより回転速度制御されるポンプ、回転速度制御されるファン、電気的に制御される弁及び空気流通路に配置されたブラインドのような電気的に制御される装置が制御可能である。熱交換器出力又はファン回転速度は、全ての冷却循環路に対して常に１つの冷却循環路の最大需要にしたがっている。中央熱管理によって、システムの冷却及び加熱のためにポンプ及びファンのための駆動エネルギーがわずかしか消費されないようにし、かつシステムからあまりに多い熱エネルギーが取り去られないことが達成される。その結果、スタートの際に急速に必要な動作温度に到達する。
ただし制御のために利用される冷却媒体温度は、実際の熱発生の後に比較的遅れて初めてそれより高い又は低い温度レベルに設定されるので、適正時間に温度制御に介入するという困難が存在する。さらに温度検出自体が、かなりの遅れを伴う。
ドイツ連邦共和国特許出願公開第３７３８４１２号明細書によれば、内燃機関の温度制御を行なう方法が公知であり、ここでは電気ポンプの送り出力が、冷却媒体温度に依存してだけでなく、少なくとも１つの別の動作特性値に依存して行なわれる。そのために電子回路装置は、入力信号として、内燃機関の動作温度、内燃機関の直接の周囲における空気温度、内燃機関から遠くの距離において測定可能な環境温度、機関部分の温度及び内燃機関の回転速度、及び車両の走行速度に関する情報を受取る。電子回路装置は、入力信号を出力信号になるように処理し、かつまず１つの出力信号を電気ポンプに送出する。その他の出力信号は、弁に、かつ冷却器として利用される熱交換器の前に配置された調節可能なブラインドを操作する操作装置に、かつ最後に熱交換器に付属の送風機モータに出力される。
ヨーロッパ特許出願公開第００８４３７８号明細書によれば、内燃機関の冷却システムのための制御装置が公知であり、ここでは入力量は、マイクロプロセッサによって評価される。入力量として、冷却水温度、車両速度及び環境温度が使われる。
ドイツ連邦共和国特許出願公開第３８１０１７４号明細書は、内燃機関の冷却媒体温度を制御する装置を示しており、その際、制御装置又は評価装置は、入力信号として、冷却水温度の他に、内燃機関の負荷及び回転速度を受取る。内燃機関の負荷は、混合気を圧縮する内燃機関の吸入管負圧の測定によって又は空気を圧縮する内燃機関の噴射ポンプの制御棒の位置の測定によって、間接的に検出することができる。
さらにドイツ連邦共和国特許第４１０９４９８号明細書によれば、内燃機関の温度を制御する方法が公知であり、ここでは制御装置は、入力信号として、次の動作パラメータを処理する：内燃機関の温度、吸入温度、内燃機関の回転速度、車両速度、内燃機関の負荷、空調装置の動作状態、自動車の加熱、時間、診断情報、ノッキング制御装置の出力信号及び冷却水の温度。
さらにドイツ連邦共和国特許出願公開第４４２６４９４号明細書によれば、内燃機関における冷却システムを監視する装置が公知である。マイクロプロセッサを利用して、温度信号の経過を評価し、かつ認められた単位時間あたりの温度変化をもっともらしい値と比較することによって、冷却システムの動作能力が監視される。評価は、冷却システムの制御のために使われるのではなく、その監視のため、及び誤動作を安全かつ確実に認識できるようにするためだけに使われる。
最後に類概念を形成する米国特許第４７６８４８４号明細書によれば、加熱装置を制御する方法が公知であり、ここではマイクロプロセッサを介して温度センサの信号は、マイクロプロセッサを有する電子評価ユニットに供給される。ただし熱発生に（急速な）作用を及ぼす可能性は制限されている。
本発明の課題は、一層急速にかつ一層直接的に内燃機関の温度制御に介入することができる方法を提案することにある。
本発明によれば、この課題は、請求の範囲第１項の特徴によって解決される。本発明による方法において、冷却又は加熱媒体の温度のために、内燃機関の危険な構成部分温度及び／又は出力特性値が検出され、かつ制御の際に考慮される。危険な構成部分は、増加する熱発生に一層直接的に反応し、かつその温度は、熱伝達によって冷却媒体温度が遅れて反応する以前に、はっきりと早く変化するので、急速に温度制御に介入することができる。このことは、本発明による方法により、制御の際にこのようなものとして構成部分温度及び／又は出力特性値だけでなく、単位時間あたりの変化を考慮することによって促進される。温度経過の傾向は、すでに早い時期に、さらに強力に又は弱く冷却しなければならないかどうかに関する重要な指摘を与える。
そのために危険な構成部分として、内燃機関のシリンダヘッドが、しかも排気弁の間の範囲、いわゆるブリッジ領域が適している。この範囲は、熱い排気ガスにさらされているので、とくに高い温度及び頻繁な温度変化の危険にさらされている。その小さな質量及びその位置に基づいて、これは、熱負荷変化にきわめて急速に反応するので、その温度は、内燃機関内における熱発生に対してきわめて特徴的である。
さらに本発明による方法によれば、内燃機関の出力特性値を検出することが提案され、これらの出力特性値は、熱特性にとって固有のものであり、例えば目的に合うように単位時間又は動作サイクルあたりに燃焼室内に運び込まれる燃料量である。それにより制御のための特性値は、本来の熱発生が生じる前、又は危険な構成部分が相応する温度に達する前に取得することができる。内燃機関の全てのシリンダの温度及び特性値を検出することは、基本的に可能である。しかし通常、危険なシリンダ又はいくつかのシリンダの値だけを検出すれば十分である。
本発明による方法及びその構成によれば、温度の上昇又は熱発生の増加とともに、装置により、まずポンプが動作させられ、かつ制御され、それからサーモスタット、それからブラインド、及び最後にファンが動作させられ、かつ制御されるとき、車両のための内燃機関の始動段階における最適な動作温度が、とくに急速に達成できる。
これらの全ての処置によって、始動後に燃焼室が急速に加熱され、その結果、オットー機関においてもディーゼル機関においてもシリンダ装填物は一層良好に燃焼し、かつそれ故に一層わずかな炭化水素放出が生じることが達成される。さらにディーゼル機関における自己点火が改善され、それによりすでにきわめて短い暖機時間の後に、騒音放出を大幅に減少して均一なかつきわめて静かな回転が達成される。燃焼室壁を介するわずかな熱損失のため、始動の際に通常高められるアイドリング量は、はっきりと早く減少することができ、かつ量増加の期間は、はっきりと短縮できる。それによりこの動作状態の間の熱効率が改善され、かつ燃料消費量は減少する。
最後に排気ガス温度はきわめて急速に上昇し、それにより触媒は、さらに急速に応答し、かつターボ過給機の応答特性は改善される。温度制御はきわめて急速に応答するので、温度又は熱発生が変化したとき、内燃機関の構成部分は、熱過負荷から一層良好に保護されている。さらに潤滑油は、急速に最適な温度にされるので、その老化に関する過負荷による危険なく、きわめて急速にその完全な動作能力を発生する。
図面に本発明の実施例が示されている。それ以上の利点及び詳細は、実施例の次の説明から明らかである。明細書及び請求の範囲に、多数の特徴が関連して示されており、かつ説明されている。専門家は、特徴を目的に合うように個別的にも考察し、かつそれ以上の意味のある組合せにまとめるであろう。
図面は、本発明による方法を実施する冷却装置の構成を概略的に示している。
１により車両の水冷却される内燃機関が示されており、この内燃機関は、冷却水入口２及び冷却水出口３を有する。温度センサ４及び６は、冷却水入口２又は冷却水出口３における冷却水温度を検出する。さらに内燃機関１は、排気弁の間の範囲に、いわゆるβブリッジ領域に、温度センサ５を有する。温度センサ４、５及び５は、温度信号は信号線８を介して評価装置７に、例えば機関電子装置に導き、この評価装置は、熱発生に固有の内燃機関１の出力特性値も検出する。
評価装置７は、入力量及び特性値を操作量に変換する。破線で示す信号線９を介して、相応する信号が、冷却又は加熱媒体、とくに冷却水、冷却空気及びオイルを送り、かつその容積流を制御するために、電気的に制御可能な装置に導かれる。これらの装置には、制御可能な電動機１２によって駆動されるファン１１、電気的に駆動されかつ制御可能な水ポンプ２２及び２３、電気的なサーモスタット２８、及び電気的に駆動されるブラインド２４が含まれている。
ファン１１は、水冷却器１３を通して冷却空気を送り、その際、水冷却器１３を通る冷却空気流通量は、一方においてファン１１の回転速度によって決まり、かつ他方においてファン１１が停止しているとき、ブラインド２４の位置によって決まる。
主ポンプとして使われる水ポンプ２２は、水冷却器１３及び内燃機関１を通し、かつオイル入口管片１５及びオイル出口管片１６を有するオイル冷却器１４を通し、排気ガス入口管片１８及び排気ガス出口管片１９を有する排気ガス帰還冷却器１７を通し、かつ室内ヒータ２０を通して、冷却水を送る。冷却水の流れの方向は、冷却水道管１０に沿った小さな矢印によって暗示されている。冷却水システムは、補償導管２７及び空気逃し導管２６を介して膨張容器２５に接続されている。
補助ポンプとして使われる水ポンプ２３は、わずかな熱発生の際に水ポンプ２２が停止したとき、冷却水送りを保証する。これは、とりわけ二重弁２１を介して制御できる室内ヒータ２０の機能を保証する。
車両が始動されるとき、まず水ポンプ２２及びファン１１は遮断されており、かつサーモスタット２８及びブラインド２４は閉じている。温度の上昇とともにまず水ポンプ２２が動作させられ、かつ熱発生に相応して制御される。その後、サーモスタットの制御が始まる。最後にブラインド２４が開かれ、かつファン１１の制御が始まる。全ての装置が最大値に設定されているとはいえ、又は個々の部品が故障しているので、温度がさらに上昇すると、安全性のために内燃機関の出力は相応して減少される。
0003785510.tif 000002